(57)【特許請求の範囲】
【請求項１】
車両前後方向に延び、閉断面部を形成するフロントフレームと、
前記フロントフレームの車幅方向外側且つ上方に配置され、車両前後方向に延びるエプロンレインと、
サスペンションの構成部材が取り付けられ、前記フロントフレームと前記エプロンレインとを連結するサスハウジングと、
前記サスハウジングの一部を覆うカバー部材と、を備え、
前記サスハウジングは、前記フロントフレームと前記エプロンレインとを橋絡するように車幅方向に延びる開断面部を備え、
前記開断面部は、ホイールハウス側に開口を有し、
前記カバー部材は、少なくとも前記開断面部の前記フロントフレーム側の端部付近において、前記開断面部の開口を覆っている、車両の前部車体構造において、
前記フロントフレームは、車幅方向外側に向く外面と、車幅方向内側に向く内面と、前記外面と前記内面との間の上部に位置する上面とを備え、
前記サスハウジングは、前記開断面部として、前記サスハウジングに備えられた面部を挟んで車両前後方向に並ぶように配置された第１開断面部及び第２開断面部を含み、
前記サスハウジングは、前記第１開断面部及び第２開断面部の各フロントフレーム側の端部と、前記フロントフレームの前記上面とを非接触とする分断部を含み、
前記第１、第２開断面部の少なくとも前記フロントフレーム側の各端部は、前記フロントフレームの前記上面の車幅方向の幅に対応する幅を有する一対の側板と、前記一対の側板の車幅方向内側の端縁を連結する連結板とによって形成され、
前記開口は、前記一対の側板の車幅方向外側の端縁間に形成され、当該端縁間と前記フロントフレームの前記外面に跨る領域を前記カバー部材が覆っており、
前記カバー部材は、前記第１開断面部と第２開断面部との間の面部に対して車幅方向に重なる重なり部を有し、該重なり部において前記面部に固定されることを特徴とする車両の前部車体構造。
【請求項２】
請求項１に記載の車両の前部車体構造において、
前記サスハウジングは、車両前後方向に延び前記開断面部を仕切るリブをさらに備え、
前記カバー部材は、前記リブと一部が重なるように配置されている、車両の前部車体構造。
【請求項３】
請求項１又は２に記載の車両の前部車体構造において、
前記サスハウジングが、アルミダイキャストからなる部材であり、
前記フロントフレームが、前記サスハウジングとは異種の金属からなる、車両の前部車体構造。
【請求項４】
請求項１〜３のいずれか１項に記載の車両の前部車体構造において、
ホイールハウスを覆うマットガードをさらに備え、
前記マットガードは、前記カバー部材となる延長部を備えている、車両の前部車体構造。
【発明の詳細な説明】
【技術分野】
【０００１】
本発明は、サスペンションの構成部材が取り付けられるサスハウジングを前部に備えた車両の前部車体構造に関する。
【背景技術】
【０００２】
自動車等の車両の前部には、フロントサスペンションのダンパーから入力される荷重を支持するサスハウジングが備えられている。一般にサスハウジングは、車両前後方向に延びるフロントフレームと、該フロントフレームの車幅方向外側且つ上方に配置され車両前後方向に延びるエプロンレインとの間に架け渡されるように配置され、これらに車幅方向の端部が結合されている（例えば特許文献１参照）。
【０００３】
サスハウジングは、フロントサスペンションを収容するハウジング本体、サスペンションのダンパー上端を支持するサストップ部、前記フロントフレーム及び前記エプロンレインに対する結合部などを含む。このようなサスハウジングは、一般に鋼鈑をプレス成型する方法によって製造される。一方、プレス成形では形状の自由度が比較的低いという点、また、より車体の軽量化を図るという点から、サスハウジングをアルミニウムで鋳造（アルミダイキャスト）する方法も検討されている。
【先行技術文献】
【特許文献】
【０００４】
【特許文献１】特開２０１１−００５８８２号公報
【発明の概要】
【発明が解決しようとする課題】
【０００５】
サスハウジングにおいては、サストップ部から入力される荷重に対する耐性が求められる。とりわけ、サストップ部に上下方向に変動する大きな荷重が加わった場合において、サスハウジングが車幅方向の内側に倒れ込む内倒れ変形を未然に防止できる強度を、当該サスハウジングに具備させることが求められる。サスハウジングに０．１ｍｍオーダーの内倒れ変形が生じた場合でも、操舵安定性能、ＮＶＨ（Noise, Vibration, Harshness）性能、強度耐久性能などに影響が及ぶ。
【０００６】
さらに、サスハウジングは一般にホイールハウスに対向する位置に配置されるので、ホイールハウス側からの水の進入に対する対策を併せて取ることが望まれる。
【０００７】
本発明の目的は、サストップ部に大きな荷重が加わった場合でも、サスハウジングの車幅方向の変形を抑止し、さらにサスハウジングへの水の進入を抑止し得る車両の前部車体構造を提供することにある。
【課題を解決するための手段】
【０００８】
本発明の一局面に係る車両の前部車体構造は、車両前後方向に延び、閉断面部を形成するフロントフレームと、前記フロントフレームの車幅方向外側且つ上方に配置され、車両前後方向に延びるエプロンレインと、サスペンションの構成部材が取り付けられ、前記フロントフレームと前記エプロンレインとを連結するサスハウジングと、前記サスハウジングの一部を覆うカバー部材と、を備え、前記サスハウジングは、前記フロントフレームと前記エプロンレインとを橋絡するように車幅方向に延びる開断面部を備え、前記開断面部は、ホイールハウス側に開口を有し、前記カバー部材は、少なくとも前記開断面部の前記フロントフレーム側の端部付近において、前記開断面部の開口を覆っている、車両の前部車体構造において、前記フロントフレームは、車幅方向外側に向く外面と、車幅方向内側に向く内面と、前記外面と前記内面との間の上部に位置する上面とを備え、前記サスハウジングは、前記開断面部として、前記サスハウジングに備えられた面部を挟んで車両前後方向に並ぶように配置された第１開断面部及び第２開断面部を含み、前記サスハウジングは、前記第１開断面部及び第２開断面部の各フロントフレーム側の端部と、前記フロントフレームの前記上面とを非接触とする分断部を含み、前記第１、第２開断面部の少なくとも前記フロントフレーム側の各端部は、前記フロントフレームの前記上面の車幅方向の幅に対応する幅を有する一対の側板と、前記一対の側板の車幅方向内側の端縁を連結する連結板とによって形成され、前記開口は、前記一対の側板の車幅方向外側の端縁間に形成され、当該端縁間と前記フロントフレームの前記外面に跨る領域を前記カバー部材が覆っており、前記カバー部材は、前記第１開断面部と第２開断面部との間の面部に対して車幅方向に重なる重なり部を有し、該重なり部において前記面部に固定されることを特徴とする。
【０００９】
この前部車体構造によれば、サスハウジングが車幅方向に延びる開断面部を備えることで、当該サスハウジングの車幅方向の変形耐性を高めることができる。また、前記開断面部は、ホイールハウス側に開口を有するものの、その開口は、少なくとも前記開断面部の前記フロントフレーム側の端部付近において、カバー部材に覆われている。従って、前記開断面部の前記端部領域に、ホイールハウス側から飛散する水滴等が進入することを抑止できる。さらに、前記開断面部が前記カバーによって閉断面化されるので、当該開断面部の剛性をより高めることができる。
【００１０】
上記の車両の前部車体構造において、前記サスハウジングは、車両前後方向に延び前記開断面部を仕切るリブをさらに備え、前記カバー部材は、前記リブと一部が重なるように配置されていることが望ましい。
【００１１】
この前部車体構造によれば、開断面部を仕切るリブによって開断面部の剛性が高められる。また、カバー部材を、前記リブと一部が重なるように配置することで、前記リブを利用して前記開断面部の防水を図ることができる。
【００１２】
上記の車両の前部車体構造において、前記サスハウジングが、アルミダイキャストからなる部材であり、前記フロントフレームが、前記サスハウジングとは異種の金属からなることが望ましい。
【００１３】
この前部車体構造によれば、サスハウジングがアルミダイキャストによって形成されるので、サスハウジングの形状の自由度を高くし、軽量化を図ることができる。一方、サスハウジングとフロントフレームとは異種金属となるが、前記カバー部材の配置によって両者が当接する部分に水が進入しないようにすることが可能となる。従って、異種金属の接触による電食の促進を抑制することができる。
【００１４】
上記の車両の前部車体構造において、前記フロントフレームは、車幅方向外側に向く外面と、車幅方向内側に向く内面と、前記外面と前記内面との間の上部に位置する上面とを備え、前記開断面部の少なくとも前記フロントフレーム側の端部は、前記フロントフレームの前記上面の車幅方向の幅に対応する幅を有する一対の側板と、前記一対の側板の車幅方向内側の端縁を連結する連結板とによって形成され、前記開口は、前記一対の側板の車幅方向外側の端縁間に形成され、当該端縁間と前記フロントフレームの前記外面に跨る領域を前記カバー部材が覆っていることが望ましい。
【００１５】
この前部車体構造によれば、一対の側板間の開口をカバー部材で覆うことにより、開断面部への水進入の防止、及び当該開断面部の剛性強化が図られる。
【００１６】
上記の車両の前部車体構造において、ホイールハウスを覆うマットガードをさらに備え、前記マットガードは、前記カバー部材となる延長部を備えていることが望ましい。
【００１７】
この前部車体構造によれば、ホイールハウスに対して一般的に組み付けられるマットガードと一体的に、前記カバー部材の役目を果たす延長部が形成される。従って、部品点数を増加させず、組立工数の増加も抑止することができる。
【発明の効果】
【００１８】
本発明によれば、サストップ部に大きな荷重が加わった場合でも、サスハウジングの車幅方向の変形を抑止できる車両の前部車体構造を提供することができる。さらに、サスハウジングに水が進入することにより生じる各種の問題を回避できる。
【図面の簡単な説明】
【００１９】
【図１】本発明に係る車両の前部車体構造を概略的に示す斜視図である。
【図２】前記前部車体構造における、サスハウジングの組み付け部分の斜視図である。
【図３】図２のＩＩＩ−ＩＩＩ線の概略的な断面図である。
【図４】図２の状態からフロントフレームインナを取り外した状態の斜視図である。
【図５】サスハウジングの上面視の平面図である。
【図６】サスハウジングの下面視の平面図である。
【図７】サスハウジングの下端付近の斜視図である。
【図８】第１バルクヘッドの斜視図である。
【図９】第２バルクヘッドの斜視図である。
【図１０】マットガードの斜視図である。
【図１１】マットガードとサスハウジングとの組立接続部を下方から見た斜視図である。
【図１２】図１１のＸＩＩ−ＸＩＩ線の概略的な断面図である。
【発明を実施するための形態】
【００２０】
［車両の前部車体構造の概略説明］
以下、図面に基づいて、本発明の実施形態につき詳細に説明する。図１は、本発明に係る車両Ｖの前部車体１の構造を概略的に示す斜視図である。図１には、車両Ｖの前後方向における「前」及び「後」の矢印、車幅方向における「左」及び「右」の矢印、並びに、車高方向における「上」及び「下」の矢印を付記している。以下の図に付している「前」「後」「上」「下」「左」「右」の矢印は、図１の方向表示に従っている。
【００２１】
車両Ｖの前部車体１には、ダッシュパネル２、フロントフレーム３、エプロンレイン４、サスハウジング５及びサブフレーム７が備えられている。フロントフレーム３、エプロンレイン４及びサスハウジング５は、それぞれ左右一対の車体部材であるが、図１では図の複雑化を避けるため、車体右側部分に配設されているものを図示し、車体左側部分についてはその図示を省略している。
【００２２】
ダッシュパネル２は、左右方向に長いパネルであり、車室Ｓの前方部分とエンジンルームＥとを前後に仕切っている。フロントフレーム３は、車両前後方向に延び、閉断面部を形成している。フロントフレーム３の後端は、ダッシュパネル２の前側に結合されている。フロントフレーム３の閉断面部内には、断面補強のための補強体（後述の第１バルクヘッド６Ａ及び第２バルクヘッド６Ｂ）が配設されている。一対のフロントフレーム３の間はエンジンルームＥであり、エンジンやトランスミッション等から構成される図略のエンジンユニットが据え付けられる。
【００２３】
エプロンレイン４は、フロントフレーム３の車幅方向外側且つ上方に配置され、車両前後方向に延びている。図示している右側のフロントフレーム３に対して、右側のエプロンレイン４は、右斜め上約４５度の方位に配置されている。エプロンレイン４とフロントフレーム３との間には、図略の前輪を覆うホイールハウスＷＨを形成可能な空間が設けられている。
【００２４】
サスハウジング５は、サスペンションの構成部材が取り付けられる部材、具体的にはコイルスプリングとショックアブソーバとからなるダンパー（図略）の上端が取り付けられる部材である。サスハウジング５は、前記ダンパーを収容する下端開口のハウジング形状を有し、ホイールハウスＷＨの上方を覆うようにフロントフレーム３とエプロンレイン４とを連結している。サスハウジング５は、アルミダイキャストにて形成された部材である。勿論、板金部材のプレス加工等によって形成されたサスハウジング５であっても良い。
【００２５】
サブフレーム７は、フロントフレーム３の下方に配置される車体部材である。サブフレーム７は、エンジンルームＥの下方に位置し、一対のフロントフレーム３間に配設される態様のサスペンションクロスメンバ７１を含む。この他、サブフレーム７は、サスペンションクロスメンバ７１の左右両側から車幅方向外側に延出する一対のサスペンションアーム７２、車両前後方向に延びる左右一対のエンジンサポートメンバ７３、一対のエンジンサポートメンバ７３の前端間に架設されたフロントクロスメンバ７４、及び、クロスメンバアーム７５を含む。クロスメンバアーム７５は、サスペンションクロスメンバ７１の上面に立設され、フロントフレーム３とサスペンションクロスメンバ７１とを連結するための設けられている部材である。クロスメンバアーム７５の上端には、両者の連結用の締結ボルト（図略）を収容する円筒部７６が設けられている。
【００２６】
［前部車体の要部］
図２は、前部車体１における、右側のサスハウジング５の組み付け部分の斜視図である。この場合、左方が車幅方向内側（方向表示に「内」と表示）、右方が車幅方向外側（同「外」と表示）となる。図３は、図２のＩＩＩ−ＩＩＩ線の概略的な断面図、図４は、図２の状態から後述のフロントフレームインナ３１を取り外した状態の斜視図である。
【００２７】
＜フロントフレーム＞
フロントフレーム３は、前後方向に延びる閉断面部Ｃ１を形成する車体剛性部材であり、例えば鋼材等の優れた剛性を有する板材の折り曲げ加工品からなる。フロントフレーム３は、断面形状が左右方向幅の比較的広い略コ字型からなるフロントフレームインナ３１と、断面形状が左右方向幅の比較的広い略コ字型からなるフロントフレームアウタ３２とからなる。図３に示されているように、フロントフレーム３（閉断面部Ｃ１）は、断面形状が上下方向に長い矩形の形状を有している。フロントフレーム３は、その外周に、車幅方向外側（右）に向く外面３Ａと、車幅方向内側（左）に向く内面３Ｂと、外面３Ａと内面３Ｂとの間の上部に位置する上面３Ｃ及び下部に位置する下面３Ｄとを備えている。
【００２８】
フロントフレームインナ３１は、断面視において上下方向に延びる側板３１０、側板３１０の上端から右方に延びる上板３１１、及び、側板３１０の下端から右方に延びる下板３１２を備える。下板３１２の所定位置には、上述のクロスメンバアーム７５の円筒部７６が当接する。当該当接箇所において下板３１２には、円筒部７６が備える中空孔と略同径の貫通孔３１２Ａが穿孔されている。上板３１１の右端からは、上フランジ３１３が上方に延出されている。また、下板３１２の右端からは、下フランジ３１４が下方に延出されている。
【００２９】
フロントフレームアウタ３２は、断面視において上下方向に延びる側板３２０を備える。側板３２０の上端及び下端は、やや左方に湾曲している。側板３２０の上端から上方へ上フランジ３２１が、下端から下方へ下フランジ３２２が、各々延出されている。上フランジ３２１は、サスハウジング５の取り付けのために、上下幅が部分的に拡張された幅広部３２１Ａを備えている。上フランジ３１３、３２１同士、並びに下フランジ３１４、３２２同士が突き合わされ、スポット溶接等で固着される。このように固着されたフロントフレームインナ３１及びフロントフレームアウタ３２によって、閉断面部Ｃ１が形成されている。
【００３０】
フロントフレーム３の閉断面部Ｃ１内には、当該閉断面部Ｃ１の剛性を補強する補強体として、第１バルクヘッド６Ａと第２バルクヘッド６Ｂとが配設されている。第１バルクヘッド６Ａ及び第２バルクヘッド６Ｂは、フロントフレーム３の内面に対する接合面を有する。これらバルクヘッド６Ａ、６Ｂについては、後記で詳述する。
【００３１】
また、フロントフレーム３の閉断面部Ｃ１内には、サスペンションクロスメンバ７１を固定するための取り付け板３３が配置されている。取り付け板３３は、折り曲げ板材からなり、フロントフレームインナ３１の下板３１２に接する水平板部を有する。前記水平板部には、下板３１２の貫通孔３１２Ａの穿孔位置に応じた通し孔が備えられている。これら貫通孔３１２Ａ及び前記通し孔と、クロスメンバアーム７５の円筒部７６の前記中空孔をと貫通するように、図略の前記締結ボルトが挿通される。この締結ボルトの先端部分は、取り付け板３３の上面側に配置されるウェルドナット３３１に螺合され、これによりフロントフレーム３とサスペンションクロスメンバ７１とが固定される。
【００３２】
＜エプロンレイン＞
エプロンレイン４は、例えば鋼材等の優れた剛性を有する板材をＬ字型に折り曲げたレインフォースメント部材であり、水平板４１と、該水平板４の右端から下方に垂下する垂直板４２とを含む。エプロンレイン４の後端側は、図略のプロントピラーに固定されている。
【００３３】
＜サスハウジング＞
図２〜図４に加え、図５〜図７を参照する。図５は、サスハウジング５の上面視の平面図、図６は、サスハウジング５の下面視の平面図、図７は、サスハウジング５の下端付近の拡大斜視図である。サスハウジング５は、ハウジング本体５１、サストップ部５２、第１開断面部５３及び第２開断面部５４を備えている。サスハウジング５の右端側がエプロンレイン４に固定される上端５０１であり、左端側がフロントフレーム３に固定される下端５０２である。上端５０１の高さ位置と下端５０２の高さ位置との間には、エプロンレイン４とフロントフレーム３の上面３Ｃとの高低差に応じた高低差が存在する。
【００３４】
ハウジング本体５１は、サスペンションのダンパーを収容する、概ね円錐台のタワー形状を有するハウジングである。サストップ部５２は、ハウジング本体５１の頂部に位置している。サストップ部５２は、前記ダンパーの上端が取り付けられるサス取り付け孔５２１を有している。ハウジング本体５１は、概ね水平断面が円形であるが、その左面において平面部５１１を有している。平面部５１１は、サストップ部５２から下方に垂下して下端５０２まで延びる垂直壁である。
【００３５】
サストップ部５２の右隣には、平坦な上面部５０３が設けられている。上面部５０３は、サストップ部５２よりも一段下がった高さ位置にあり、前後方向に帯状に延びている。上面部５０３の右方には、上端フランジ５０４が延設されている。上端フランジ５０４は、上面部５０３よりも一段下がった高さ位置にあり、前後方向に帯状に延びている。上面部５０３と上端フランジ５０４とは、垂直板５０５によって連結されている。
【００３６】
図３に示すように、サストップ部５２は、サスペンションから上下方向の荷重が入力される荷重入力部Ｐ１となる。サスハウジング５は、上端５０１が、下端５０２よりも高い位置でエプロンレイン４に固定される。このため、荷重入力部Ｐ１に下方から突き上げるような荷重が加えられると、矢印Ｆで示すようにサスハウジング５が車幅方向内側に倒れ込む内倒れ変形が生じ易くなる。既述の通り、サスハウジングに僅かな内倒れ変形が生じただけでも、操舵安定性能、ＮＶＨ性能、強度耐久性能などに影響が及ぶ。
【００３７】
上記内倒れ変形力に対抗するために、矢印Ｆの方向の変形力に対するサスハウジング５の断面二次モーメントを向上することが求められる。第１開断面部５３及び第２開断面部５４は、前記断面二次モーメントを高めるためにサスハウジング５に備えられている。本明細書でいう開断面部（open cross-section）とは、上述の閉断面部Ｃ１のように完全に、或いは僅かな開口を除いて板材によって閉じられた断面ではないが、平面に対して角柱型、Ｖ字型などの膨らみを持つよう複数の折れ曲がり部によって形成された、開口を備えた断面である。第１開断面部５３と第２開断面部５４とは、サスハウジング５において車両前後方向に互いに離間して、具体的にはハウジング本体５１（平面部５１１）を挟んで前後に並ぶように配置されている。
【００３８】
第１開断面部５３は、ハウジング本体５１の前方側において、フロントフレーム３とエプロンレイン４とを橋絡するように車幅方向に延びている。第１開断面部５３は、前後一対の側板５３１と連結板５３２とによって形成された、角柱型（いわゆるハット型）の開断面部である。図６には、開断面空間ＣＡが示されている。この開断面空間ＣＡは、ホイールハウスＷＨ側に向けて開口している。図７に示すように、一対の側板５３１は、フロントフレーム３側（左側）の端部である下端５０２付近において、フロントフレーム３の上面３Ｃの車幅方向の幅に対応する幅ｄを有している。連結板５３２は、一対の側板５３１の上端縁（下端５０２付近においては、一対の側板５３１の車幅方向内側の端縁）を連結している。
【００３９】
前方側の側板５３１は、概ねフロントフレーム３からエプロンレイン４まで延びている。一方、後方側の側板５３１が外側に表出しているのは、第１開断面部５３の左端付近、すなわち概ねフロントフレーム３からハウジング本体５１の平面部５１１までの間である。図６に示すように、後方側の側板５３１の右端付近は、上面部５０３の裏面側に隠れており、また、中央付近はハウジング本体５１の右側部に繋がっている。
【００４０】
一対の側板５３１と連結板５３２とは、概ね互いに直交して交差する面である。前方側の側板５３１と連結板５３２とが交差する部分が前稜線部５３３であり、後方側の側板５３１と連結板５３２とが交差する部分が後稜線部５３４である。前稜線部５３３は、概ねフロントフレーム３からエプロンレイン４まで車幅方向に延びている。後稜線部５３４は、概ねフロントフレーム３から平面部５１１まで延びている。但し、後稜線部５３４の右端は、連結板５３２とハウジング本体５１の前方側の立壁とが交差する稜線に繋がっており、実質的に高剛性部としての後稜線部５３４はエプロンレイン４付近まで延びている。これら前稜線部５３３及び後稜線部５３４は、第１開断面部５３において剛性を高める高剛性部としての機能を果たし、サスハウジング５の断面二次モーメントの向上に寄与する。
【００４１】
第２開断面部５４は、ハウジング本体５１の後方側において、フロントフレーム３とエプロンレイン４とを橋絡するように車幅方向に延びている。第１開断面部５３と同様に第２開断面部５４は、前後一対の側板５４１と連結板５４２とによって形成されたハット型の開断面部である。一対の側板５４１もまた、フロントフレーム３側の端部付近において、フロントフレーム３の上面３Ｃの車幅方向の幅に対応する幅ｄを有している。連結板５４２は、一対の側板５４１の上端縁（一対の側板５４１の車幅方向内側の端縁）を連結している。
【００４２】
連結板５４２の前後方向の幅が第１開断面部５３の連結板５３２よりも広幅であることを除き、側板５４１及び連結板５４２は、第１開断面部５３の側板５３１及び連結板５３２と同様である。前方側の側板５４１と連結板５４２とが交差する部分が前稜線部５４３であり、後方側の側板５４１と連結板５４２とが交差する部分が後稜線部５４４である。後稜線部５４４が第１開断面部５３の前稜線部５３３に相当する稜線であり、前稜線部５４３が後稜線部５３４に相当する稜線である。これら前稜線部５４３及び後稜線部５４４は、第２開断面部５４において剛性を高める高剛性部としての機能を果たし、サスハウジング５の断面二次モーメントの向上に寄与する。
【００４３】
＜サスハウジングの連結構造部の説明＞
続いて、サスハウジング５の上端５０１側及び下端５０２側の連結構造部について説明する。上端５０１においてエプロンレイン４との連結部を構成するのは、上面部５０３及び上端フランジ５０４である。図３を参照して、上面部５０３は、エプロンレイン４の水平板４１における左方部分と上下方向に重ね合わされている。上端フランジ５０４の右端付近は、垂直板４２の下部フランジと重ね合わされている。これら重ね合わせ部分において、上端５０１とエプロンレイン４とが固定されている。
【００４４】
このような上端５０１とエプロンレイン４との連結部が形成される結果、当該連結部には前後方向に延びる閉断面部Ｃ２が形成されている。すなわち、水平板４１の右方部分と上端フランジ５０４の左方部分、並びに垂直板４２と垂直板５０５とは、それぞれ間隔を置いて対峙しており、これらによって囲まれた空間が閉断面部Ｃ２である。当該閉断面部Ｃ２の形成によって、サスハウジング５の上端５０１側の剛性が高められている。
【００４５】
次に、下端５０２側の連結構造部を説明する。サスハウジング５は、フロントフレーム３に対する連結部分となる下端５０２に、分断部５５と、第１接続部５３５および第２接続部５４５とを有している。分断部５５は、第１開断面部５３及び第２開断面部５４の下端５０２側の端部（フロントフレーム３側の端部）と、フロントフレーム３の上面５Ｃとを非接触とするために形成されている。図７には、第１開断面部５３の下端縁５３Ｅ及び第２開断面部５４の下端縁５４Ｅが示されている。分断部５５の形成によって、これら下端縁５３Ｅ、５４Ｅは、上面５Ｃに対して分断部５５の隙間を介して対向している。つまり、第１、第２開断面部５３、５４は、分断部５５の位置で途切れている。
【００４６】
フロントフレーム３は、ホイールハウスＷＨに隣接している。このため、雨天走行時等において、ホイールハウスＷＨ側からフロントフレーム３の上面５Ｃに水滴が跳ね上げられることが想定される。仮に、第１、第２開断面部５３、５４の下端縁５３Ｅ、５４Ｅが上面５Ｃに密接するほどに下方に延びていると、その密接部分に前記水滴が滞留し易くなる。しかし、本実施形態のように、分断部５５を設けて下端縁５３Ｅ、５４Ｅと上面５Ｃとを離間させることで、上面５Ｃへの水溜まりの発生を未然に防止することができる。
【００４７】
また、本実施形態では、サスハウジング５がアルミダイキャストによって形成され、フロントフレーム３が鋼材によって形成されている。すなわち、サスハウジング５とフロントフレーム３とは異種金属となるが、分断部５５の形成によって両者が当接する部分を可及的に少なくすることができる。従って、異種金属の接触による腐食等の問題、特に水が介在することによる電食の問題を抑制することができる。これに加え、本実施形態では、後述のマットガード８によって、開断面空間ＣＡへの水等の侵入を阻止する構成を備えている。この点については図１０〜図１２に基づき後述する。
【００４８】
第１、第２接続部５３５、５４５は、第１、第２開断面部５３、５４とフロントフレーム３の内面３Ｂとを接続するために設けられている。第１接続部５３５は、第１開断面部５３の連結板５３２の下端から下方に連設された平板部分である。同様に、第２接続部５４５は、第２開断面部５４の連結板５３２の下端から下方に連設された平板部分である。第１、第２接続部５３５、５４５は、分断部５５を跨ぎ、内面３Ｂの上方部分と左右方向に重なり合うように、下方に延びている。第１、第２接続部５３５、５４５は、内面３Ｂとの重なり合う部分において、スポット溶接等で当該内面３Ｂに固定される。図３では、その固定部を内側固定部Ｐ２として模式的に示している。
【００４９】
サスハウジング５は、下端５０２側において、フロントフレーム３のフランジ部３Ｆ（外面３Ａ側）に対する連結部も有している。この連結部を形成するために、サスハウジング５は第１延長部５１２、第２延長部５１３及び第３延長部５１４を備えている。第１延長部５１２は、平面部５１１の下端に連設された平板部であって、第１開断面部５３と第２開断面部５４との間に位置している。第２延長部５１３は、第１開断面部５３の前方側に隣接して設けられた平板部である。第３延長部５１４は、第２開断面部５４の後方側に隣接して設けられた平板部である。
【００５０】
図２、図７に示すように、第１、第２開断面部５３、５４の下端縁５３Ｅ、５４Ｅと、第１、第２、第３延長部５１２、５１３、５１４の下端縁とは面一である。また、図６に示すように、第１〜第３延長部５１２〜５１４は、左右方向のほぼ同じ位置に配置され、前後方向に直線状に並んでいる。第１、第２開断面部５３、５４のフロントフレーム３側の端部は、第１〜第３延長部５１２〜５１４が形成する平面から左方に突出している。
【００５１】
フロントフレーム３のフランジ部３Ｆには、既述の通り上下幅が他の部分よりも長い幅広部３２１Ａが備えられている。幅広部３２１Ａは、第１〜第３延長部５１２〜５１４の全てと対向できる前後幅を有している。第１〜第３延長部５１２〜５１４は、幅広部３２１Ａと左右方向に重ね合され、その重なり合う部分において、スポット溶接等で幅広部３２１Ａに固定される。図３では、その固定部を外側固定部Ｐ３として示している。車両前後方向で見ると、前方側から第２延長部５１３、第１接続部５３５、第１延長部５１２、第２接続部５４５及び第３延長部５１４の順に並んでいる。従って、外側固定部Ｐ３と内側固定部Ｐ２とが、車両前後方向に交互に並ぶことになる。
【００５２】
＜サスハウジングの補強構造＞
サスハウジング５は、第１、第２開断面部５３、５４を備えることで、車幅方向の変形耐性が高められているが、これらに加えて、さらなる補強構造を有している。この補強構造として、サスハウジング５は、第１縦リブ５３６、第２縦リブ５４６、第１横リブ５３７、第２横リブ５４７、厚肉部５６及び内リブ５７１〜５７９（図６）を備えている。
【００５３】
第１縦リブ５３６は、第１開断面部５３に連設されている第１接続部５３５に、第２縦リブ５４６は、第２開断面部５４に連設されている第２接続部５４５に各々設けられている。第１、第２縦リブ５３６、５４６は、それぞれ第１接続部５３５、第２接続部５４５の車幅方向への曲げ変形を抑制する補強部である。分断部５５を設けたことにより、サスハウジング５の下端５０２とフロントフレーム３の内面３Ｂとは、開断面構造を持たない第１、第２接続部５３５、５４５で繋がれるため、当該部分が機械的強度の弱点部となり得る。しかし、第１、第２縦リブ５３６、５４６を設けることで、第１、第２接続部５３５、５４５の剛性を高めることができ、ひいてはサスハウジング５の内倒れ変形を抑止することができる。
【００５４】
第１縦リブ５３６は、第１接続部５３５の左面に突設され、上下方向に延びる細長いリブである。ここでは、２本の第１縦リブ５３６が、前後方向に間隔を置いて平行に設けられている例を示している。同様に、第２縦リブ５４６は、第２接続部５４５の左面に突設され、上下方向に延びる細長いリブである。第２接続部５４５は比較的幅広であるので、３本の第２縦リブ５４６が、前後方向に間隔を置いて平行に設けられている。
【００５５】
第１横リブ５３７は、第１開断面部５３の一対の側板５３１の下端付近に各々突設され、第２横リブ５４７は、第２開断面部５４の一対の側板５４１の下端付近に各々突設されている。第１、第２横リブ５３７、５４７の形成によって、一対の側板５３１、５４１の左右方向の撓み変形が抑止される。すなわち、分断部５５の形成によって、側板５３１、５４１は下端縁５３Ｅ、５４Ｅ付近において脆弱となるが、第１、第２横リブ５３７、５４７によって剛性が高められる。
【００５６】
第１横リブ５３７は、左方に向けて下り傾斜する細長いリブであり、前側の第１横リブ５３７は第２延長部５１３から、後側の第１横リブ５３７は第１延長部５１２から、それぞれ第１接続部５３５まで延びている。同様に第２横リブ５４７は、左方に向けて下り傾斜する細長いリブであり、前側の第２横リブ５４７は第１延長部５１２から、後側の第２横リブ５４７は第３延長部５１４から、それぞれ第２接続部５４５まで延びている。なお、第１、第２横リブ５３７、５４７を、一対の側板５３１、５４１のいずれか一方に配置する態様としても良い。
【００５７】
厚肉部５６は、開断面構造を持たない第１、第２接続部５３５、５４５を、第１、第２縦リブ５３６、５４６に加えて補強するために設けられている。厚肉部５６は、分断部５５に向かい合う部分に形成され、当該厚肉部５６の形成箇所において、第１、第２接続部５３５、５４５は、板厚がサスハウジング５の他の部分より増加されている。図６に示されているように、厚肉部５６は、第１、第２接続部５３５、５４５の裏面側において、下方から上方に向けて厚みが増加するよう突出した部分である。このような厚肉部５６は、アルミダイキャストによれば容易に形成できる。第１接続部５３５においては、前後一対の第１縦リブ５３６間に厚肉部５６が配置されている。また、第２接続部５４５において、前後端の第２縦リブ５４６間に厚肉部５６が配置されている。３つのうち、中央の第２縦リブ５４６は、厚肉部５６上に突設されている。このような厚肉部５６の配置によって、第１、第２接続部５３５、５４５の剛性がより高められている。
【００５８】
内リブ５７１〜５７９は、図６に示すように、第１開断面部５３及び第２開断面部５４の開断面空間ＣＡを仕切る、前後方向に延びるリブである。第１開断面部５３の開断面空間ＣＡには、４つの内リブ５７１、５７２、５７３、５７４が、適宜な間隔を置いて配置されている。内リブ５７１〜５７４は一対の側板５３１間に亘って延び、第１開断面部５３の開断面空間ＣＡを複数の空間に仕切っている。第２開断面部５４の開断面空間ＣＡには、５つの内リブ５７５、５７６、５７７、５７８、５７９が、適宜な間隔を置いて配置されている。内リブ５７５〜５７９は一対の側板５４１間に亘って延び、第２開断面部５４の開断面空間ＣＡを複数の空間に仕切っている。
【００５９】
＜バルクヘッド＞
図４に示されているように、フロントフレーム３の閉断面部Ｃ１内には、その断面補強のための第１バルクヘッド６Ａ及び第２バルクヘッド６Ｂが配設されている。第１バルクヘッド６Ａ及び第２バルクヘッド６Ｂは、鋼材等の優れた剛性を有する板材に、打ち抜き及び折り曲げ加工等を施して形成された部材であり、閉断面部Ｃ１を仕切るように配置されることにより、当該閉断面部Ｃ１の剛性を高める役目を果たす。第１バルクヘッド６Ａは、概ね第１開断面部５３を下方に延長した延長領域に、第２バルクヘッド６Ｂは概ね第２開断面部５４を下方に延長した延長領域に、それぞれ配置されている。
【００６０】
図８は、第１バルクヘッド６Ａの斜視図である。第１バルクヘッド６Ａは、閉断面部Ｃ１が延びる前後方向と直交する上下及び左右方向に延びる平板からなる仕切面部６１を含む。仕切面部６１は上下に長い矩形形状を有し、そのサイズは、概ね閉断面部Ｃ１の断面サイズと同じである。この仕切面部６１によって、閉断面部Ｃ１の空間が前後に仕切られている。
【００６１】
仕切面部６１の４つの辺からは、上フランジ６２１、下フランジ６２２、右フランジ６２３及び左フランジ６２４が各々突設されている。これらフランジ６２１、６２２、６２３、６２４は舌片状の形状を有し、仕切面部６１に対してほぼ直角に各々折り曲げられることによって形成されている。その折り曲げ方向は、左フランジ６２４が後方である他は、全て前方である。
【００６２】
フランジ６２１、６２２、６２３、６２４は、フロントフレーム３に対する接合部となる。図３、図４を参照して、上フランジ６２１はフロントフレームインナ３１の上板３１１に、下フランジ６２２は下板３１２に、右フランジ６２３はフロントフレームアウタ３２の側板３２０に、左フランジ６２４はフロントフレームインナ３１の側板３１０に、それぞれスポット溶接によって固着される。
【００６３】
仕切面部６１と左フランジ６２４との境界の稜線部６３には、バルクヘッド６Ａの剛性を高める２つの凹部６３１が設けられている。また、仕切面部６１には、前後方向に貫通する大貫通孔６１１と、２つの小貫通孔６１２とが設けられている。大貫通孔６１１は、車体に防錆剤を電着塗装する工程において、電着液を前後に流通させるための孔である。小貫通孔６１２は、電着液を流通させ得る孔であるが、専らスポット溶接用に設けられた孔である。また、大貫通孔６１１及び小貫通孔６１２の形成によって、第１バルクヘッド６Ａの軽量化が図られる。大貫通孔６１１の縁部には、バーリング加工によって形成されたフランジ部６１３が備えられている。フランジ部６１３の形成によって、仕切面部６１の剛性、特に第１バルクヘッド６Ａに対して上下方向に加わる荷重に対する仕切面部６１の剛性が高められている。
【００６４】
図９は、第２バルクヘッド６Ｂの斜視図である。第２バルクヘッド６Ｂも、上記仕切面部６１と同様な、閉断面部Ｃ１の空間を前後に仕切る仕切面部６４を備える。仕切面部６４は、前後方向に緩く湾曲した平板であり、上下に長い矩形形状を有する。そのサイズは、概ね閉断面部Ｃ１の断面サイズと同じである。仕切面部６４の４つの辺からは、上フランジ６５１、下フランジ（図９には表れていない）、右フランジ６５２及び左フランジ６５３が各々突設されている。これらフランジ６５１、６５２、６５３は舌片状の形状を有し、仕切面部６４に対してほぼ直角に各々折り曲げられることによって形成されている。その折り曲げ方向は、右フランジ６５２が後方である他は、全て前方である。
【００６５】
フランジ６５１、６５２、６５３は、フロントフレーム３に対する接合部となる。図３、図４を参照して、上フランジ６５１はフロントフレームインナ３１の上板３１１に、不図示の下フランジは下板３１２に、右フランジ６５２はフロントフレームアウタ３２の側板３２０に、左フランジ６５３はフロントフレームインナ３１の側板３１０に、それぞれスポット溶接によって固着される。
【００６６】
仕切面部６４には、小貫通孔６４１と、上下方向に延びる２本の剛性補強部６４２とが備えられている。小貫通孔６４１は、電着液の流通用、スポット溶接用に設けられた孔である。剛性補強部６４２は、仕切面部６４の一部を断面半円状に後方に突出するよう、絞り加工を施すことによって形成されている。剛性補強部６４２の形成によって、仕切面部６４の剛性が高められている。剛性補強部６４２は上下方向に長い形状を有するので、第２バルクヘッド６Ｂに対して上下方向に加わる荷重に対する仕切面部６４の耐性を高めることができる。すなわち、第２開断面部５４を介してサストップ部５２から加わる荷重に対して、仕切面部６４は強い耐性を有している。
【００６７】
＜マットガード＞
図２、図４に示されているように、前部車体１には、さらにマットガード８が備えられている。マットガード８は、ホイールハウスＷＨの上方を覆う部材であり、タイヤが跳ね上げる汚泥、小石或いは水滴等が車体に衝突、侵入することを防止する部材である。マットガード８は、サスハウジング５の下方に配置されている。なお、サスハウジング５の後方且つ下方には、タイヤの走行音の遮音のために、ホイールエプロン９が設けられている。
【００６８】
図１０は、マットガード８単体の斜視図である。マットガード８は、マットガード本体８１、開口８２、フランジ部８３、第１カバー部８４（カバー部材／延長部）及び第２カバー部８５（カバー部材／延長部）を含む。マットガード本体８１は、ホイールハウスＷＨの形状に沿った形状を有し、その前後方向の断面形状が略半円形である。開口８２は、マットガード本体８１の頂部付近から左方に延びるように形成された開口である。開口８２は、サスペンションのダンパーを上下方向に貫通させるために設けられている。また、開口８２によって、ホイールハウスＷＨの空間とサスハウジング５のハウジング本体５１の内部空間とが連通している。
【００６９】
フランジ部８３は、マットガード本体８１の頂部付近であって、開口８２の前方側に隣接して設けられた、上面視で半円形の水平面部である。フランジ部８３には、サスハウジング５との連結部となる取り付け孔８３１が穿孔されている。図２、図４に示されているように、サスハウジング５は、前側面の下縁（第１開断面部５３の前側）に、ネジ孔を有する固定板５８１を備えている。フランジ部８３の取り付け孔８３１の上に固定板５８１が重ね合わせられ、ネジ止めによって固定板５８１とフランジ部８３とが連結される。
【００７０】
第１カバー部８４及び第２カバー部８５は、開口８２の左端において互いに向かい合うようにマットガード本体８１から延設された平板部分である。詳しくは、第１カバー部８４は、開口８２を区画しているマットガード本体８１の切り欠き部分の前側縁の左端から後方に延び出した矩形平板である。また、第２カバー部８５は、前記切り欠き部分の後側縁の左端から前方に延び出した矩形平板である。これら矩形平板は、車幅方向と直交する平面を持ち、上下方向に長い平板である。第１カバー部８４の後端縁からは側方延長部８４１が後方に、下端縁からは下方延長部８４２が下方にそれぞれ延設されている。同様に、第２カバー部８５の前端縁からは側方延長部８５１が前方に、下端縁からは下方延長部８５２が下方にそれぞれ延設されている。これら延長部８４１、８５２、８５１、８５２には、それぞれ固定用のネジ孔が穿孔されている。
【００７１】
第１カバー部８４及び第２カバー部８５は、サスハウジング５の裏面側の一部を覆うカバー部材として機能する。この点を、図１１、図１２に基づいて説明する。図１１は、マットガード８とサスハウジング５との組立部分を下方から見た斜視図、図１２は、図１１のＸＩＩ−ＸＩＩ線の概略的な断面図である。
【００７２】
第１開断面部５３及び第２開断面部５４は、フロントフレーム３側の端部付近、つまり下端５０２付近においては、概ね上下方向に延びている。従って、第１、第２開断面部５３、５４の開断面空間ＣＡの開口も、概ね上下方向に延び、ホイールハウスＷＨに向けて開口している。第１カバー部８４及び第２カバー部８５は、このような下端５０２付近において開断面空間ＣＡの開口を覆っている。すなわち、下端５０２付近において開断面空間ＣＡの開口は、第１開断面部５３にあっては、一対の側板５３１の右端縁（車幅方向外側の端縁）間に形成され、第２開断面部５４にあっては、一対の側板５４１の右端縁間に形成されている。第１、第２カバー部８４、８５は、それぞれ前記右端縁間を覆っている。
【００７３】
図１２に断面が表わされている第２開断面部５４について、さらに詳述する。第２カバー部８５は、第２開断面部５４の開断面空間ＣＡの開口のうち、前後方向においては、ハウジング本体５１の平面部５１１に至る全領域を覆い、上下方向においては、内リブ５７６からフロントフレーム３の外面３Ａに跨る領域を覆っている。すなわち、側方延長部８５１は平面部５１１の後端付近と左右方向に重なり合い、下方延長部８５２は外面３Ａと左右方向に重なり合っている。側方延長部８５１、下方延長部８５２は、それぞれ平面部５１１、外面３Ａに対してネジ止め固定される。また、第２カバー部８５の上端部８５３（カバー部材の一部）は、内リブ５７６の下端部分と左右方向に重なり合っている。これにより、図１２に示されているように、フロントフレーム３の上面３Ｃの直上の開断面空間ＣＡは、第２カバー部８５によってホイールハウスＷＨに対して隔離された空間とされている。換言すると、開断面空間ＣＡは、下端５０２付近において第２カバー部８５によって閉断面化されている。
【００７４】
第１開断面部５３については断面の図示を省いているが、第１カバー部８４によって、上述の第２開断面部５４と同様に開口が覆われている。第１カバー部８４は、第１開断面部５３の開断面空間ＣＡの開口のうち、前後方向においては、ハウジング本体５１の平面部５１１に至る全領域を覆い、上下方向においては、内リブ５７１からフロントフレーム３の外面３Ａに跨る領域を覆っている。すなわち、側方延長部８４１は平面部５１１の前端付近と左右方向に重なり合い、下方延長部８４２は外面３Ａと左右方向に重なり合っている。また、第１カバー部８４の上端部８４３は、内リブ５７１の下端部分と左右方向に重なり合っている。
【００７５】
［作用効果］
以上説明した本実施形態に係る車両の前部車体構造によれば、次のような作用効果を奏する。サスハウジング５は、フロントフレーム３とエプロンレイン４とを橋絡するように車幅方向に延びる第１開断面部５３及び第２開断面部５４を備える。第１開断面部５３は、車幅方向に延びる前稜線部５３３及び後稜線部５３４を高剛性部として有する。また、第２開断面部５４は、車幅方向に延びる前稜線部５４３及び後稜線部５４４を高剛性部として有する。従って、サスハウジング５の車幅方向の変形耐性が高められている。
【００７６】
第１、第２開断面部５３、５４は、ホイールハウスＷＨ側に開口を有するものの、その開口は、これら第１、第２開断面部５３、５４の下端５０２付近において、マットガード８の第１、第２カバー部８４、８５によって覆われている。従って、フロントフレーム３に対する連結部となる第１、第２開断面部５３、５４の下端５０２の領域に、ホイールハウスＷＨ側から飛来する水滴や汚泥水が進入することを抑止できる。すなわち、フロントフレーム３の上面５Ｃは、水滴等の滞留を可及的に阻止したい部分であるが、その上面５ＣにホイールハウスＷＨ側からアクセスする空間自体が第１、第２カバー部８４、８５によって閉鎖されているので、水滴等の進入自体を抑制することができる。
【００７７】
さらに、第１、第２開断面部５３、５４の開断面空間ＣＡは、下端５０２付近において第１、第２カバー部８４、８５によって閉断面化されている。このため、上述の防水効果だけでなく、第１、第２開断面部５３、５４の剛性をより高めることができ、サスハウジング５の断面二次モーメントの向上にも寄与する。
【００７８】
また、第１、第２カバー部８４、８５の上端部８５３、８４３は、内リブ５７１、５７６と一部が重なるように配置されている。内リブ５７１〜５７９を開断面空間ＣＡに配置することで、第１、第２開断面部５３、５４の剛性が高められる。本実施形態では、この内リブの一部を利用して、第１、第２カバー部８４、８５で開断面空間ＣＡの防水を図っている。従って、第１、第２カバー部８４、８５が不必要に大きくなることを回避し、第１、第２カバー部８４、８５の付帯によるマットガード８のサイズ及び重量アップを抑制することができる。
【００７９】
また、サスハウジング５がアルミダイキャストによって形成され、フロントフレーム３が鋼材によって形成されている。サスハウジング５がアルミダイキャストによって形成されるので、サスハウジング５の形状の自由度を高くし、軽量化を図ることができる。一方、サスハウジング５とフロントフレーム３とは異種金属となるが、第１、第２カバー部８４、８５の配置によって両者が当接する部分に水が進入しないようにすることができる。従って、異種金属の接触による電食の促進を抑制することができる。
【００８０】
さらに、本実施形態では、マットガード８に、防水機能を果たす第１、第２カバー部８４、８５（延長部）に備えられている。すなわち、ホイールハウスＷＨに対して一般的に組み付けられるマットガード８と一体的に、防水の役目を果たす第１、第２カバー部８４、８５延長部が形成されている。従って、部品点数を増加させず、組立工数の増加も抑止することができる。
【００８１】
［変形実施形態の説明］
以上、本発明の一実施形態を説明したが、本発明はこれに限定されるものではなく、種々の変形実施形態を取ることができる。例えば、上記実施形態では、マットガード８にカバー部材としての第１、第２カバー部８４、８５が備えられている例を示した。これに代えて、別途のカバー部材を第１、第２開断面部５３、５４の開口に対して取り付けるようにしても良い。
【００８２】
以上説明した本発明に係る車両の前部車体構造よれば、サストップ部５２に大きな荷重が加わった場合でも、サスハウジング５の車幅方向の変形力に対する断面二次モーメントを向上させることができる。さらに、サスハウジング５の開断面空間ＣＡにホイールハウスＷＨからの水の進入を抑止し、サスハウジング５とフロントフレーム３との接続部に水と滞留しないようにすることができる。
【符号の説明】
【００８３】
１  前部車体
３  フロントフレーム
３Ａ  外面
３Ｂ  内面
３Ｃ  上面
４  エプロンレイン
５  サスハウジング
５２  サストップ部
５３  第１開断面部
５３１  一対の側板
５３２  連結板
５４  第２開断面部
５４１  一対の側板
５４２  連結板
５７１〜５７９  内リブ（リブ）
８  マットガード
８４  第１カバー部（カバー部材）
８４３  上端部（カバー部材の一部）
８５  第２カバー部（カバー部材）
８５３  上端部（カバー部材の一部）
ＣＡ  開断面空間
【図１】
0006390604.tif 000002
【図２】
0006390604.tif 000003
【図３】
0006390604.tif 000004
【図４】
0006390604.tif 000005
【図５】
0006390604.tif 000006
【図６】
0006390604.tif 000007
【図７】
0006390604.tif 000008
【図８】
0006390604.tif 000009
【図９】
0006390604.tif 000010
【図１０】
0006390604.tif 000011
【図１１】
0006390604.tif 000012
【図１２】
0006390604.tif 000013